(57)【特許請求の範囲】
【請求項１】
握持部の先端部に下あご部を設け、この握持部の先端部に回動部を回動自在に枢着し、この回動部の先端部に上あご部を設け、前記下あご部と上あご部とでナットやボルトなどの断面多角形状の締付部を挟持して回動し得るように構成し、前記回動部を閉塞回動方向へ付勢する付勢体を回動部に設けて前記握持部の所定方向への往復動作により前記下あご部と上あご部とで前記締付部を挟持したままラチェット駆動を行えるように構成したレンチであって、前記下あご部及び上あご部夫々の前記締付部を挟持する挟持面に山部と谷部が交互に連続する山谷部を形成し、この下あご部の挟持面に形成した山谷部を前記締付部の一角部に係止させるとともに、上あご部の挟持面に形成した山谷部を前記下あご部の山谷部で係止した一角部と対向位置にある角部に係止させることで、この下あご部及び上あご部で締付部を挟持し得るように構成し、前記下あご部及び上あご部の挟持面夫々に形成した前記山谷部の山部を結ぶ稜線が内方に湾曲状となるように形成したことを特徴とするレンチ。
【請求項２】
前記下あご部の近傍位置に、屈曲先端部に上あご部を設けた回動部の基端部を枢着し、この枢着部に回動部を閉塞回動方向へ付勢する付勢体を設けたことを特徴とする請求項１記載のレンチ。
【請求項３】
前記下あご部の近傍位置に突設した略半円断面形状の半円軸に被嵌し得る係止孔を前記回動部の基端部に設け、この係止孔内を前記半円軸が移動係止自在となるように設けて下あご部と上あご部との対向間隔を調整し得る巾調整機構を前記枢着部に設けたことを特徴とする請求項２記載のレンチ。
【請求項４】
前記回動部の基端部に設けた係止孔は、前記半円軸を回動自在に貫挿し得る複数の回動孔と、この回動孔同志を連通状態とする連通孔とから成り、この連通孔に前記半円軸を通過させて回動孔間を移動せしめることで前記下あご部と上あご部との対向間隔を調整し得るように構成し、この連通孔への半円軸の通過は、下あご部と上あご部とで締付部を挟持できない状態となるまで回動部を開放回動させたときのみ通過し得るように前記巾調整機構を構成したことを特徴とする請求項３記載のレンチ。
【請求項５】
前記回動部にこの回動部を前記付勢体に抗して開放回動させる指掛け部を設け、この指掛け部を前記握持部を握持した手の指で操作できる位置に設け、この指掛け部に当てがった指を握持部側へ押動操作することにより前記回動部が外側方向に開放回動し、前記下あご部と上あご部とで挟持していた前記締付部からこの上あご部が外側方向へ退避移動して、前記挟持状態が解除されるように構成したことを特徴とする請求項１〜４のいずれか１項に記載のレンチ。
【発明の詳細な説明】
【０００１】
【発明の属する技術分野】
本発明は、ナットやボルトなどの締付部を締め付け回動あるいは緩め回動させた後再び握持部を戻すときには、この締付部を挟持したまま締付部に回動駆動力を与えない構成とし、握持部の所定方向への往復動作により締付部をスピーディーに締め付け回動したり、緩め回動できるラチェット駆動式のレンチに関するものである。
【０００２】
【従来の技術及び発明が解決しようとする課題】
従来から、ラチェット駆動式のレンチ（以下、従来例という。）が提案されている。
【０００３】
この従来例は、棒杆状の握持部の先端部に側方へ突出状態に回動部を回動自在に枢着し、この回動部は先端部が前記下あご部と対向する位置に配されるようにフック状に屈曲した形状とし、この回動部の屈曲先端部に上あご部を設け、この下あご部及び上あご部を例えば締付部としてのナットの対向する面を挟持し得るように構成されたもので、更に、従来例は、握持部を所定方向に往復移動する動作を繰り返すことで、その一方向への移動においては、下あご部と上あご部とでナットを回り止め挟持したまま回動駆動力を付与して締め付け、反対方向への戻り移動においては、回動部は外側方向へ自由に開放回動するため、下あご部と上あご部との挟持位置を変えることでナットに回動駆動力は付与されず握持部の位置を元に戻すことができ、ナットを挟持したままで握持部を往復移動するだけでナットを締め付け回動できるラチェット駆動が行えるように構成されている。
【０００４】
故にこの従来例においては、複雑な構成や加工を要せずにラチェット駆動を実現できるレンチを提供できることになる。
【０００５】
しかしながら、従来例は、例えば周囲が壁に囲まれた狭い箇所などにおいて不便が生じる（使えない）場合がある。
【０００６】
即ち、従来例は、下あご部と上あご部とでナットの対向する面を挟持した状態でこのナットを回動させるという構造上、ナットを一度回し、そして、次に回そうとするときには、六角ナットにおける隣の面を挟持しようとするには最低でも約６０°の角度分だけ握持部を戻り移動（回動）させなければならず、よって、この回動スペースが無いと次に挟持しようとする隣の面を挟持することができない場合が生じることになる為、握持部を往復移動させるに十分なスペースの無い場所では締付部を良好に回動できないが場合がある。
【０００７】
本発明は、このような問題点に着眼し、ラチェット駆動を行い、握持部の往復操作を小刻みに繰り返し行いながら、締付部への締め付け動作や緩め動作が非常にスムーズに行え、作業が極めて能率良くスピーディーに行える画期的なレンチを提供するものである。
【０００８】
【課題を解決するための手段】
添付図面を参照して本発明の要旨を説明する。
【０００９】
握持部１の先端部に下あご部２を設け、この握持部１の先端部に回動部８を回動自在に枢着し、この回動部８の先端部に上あご部３を設け、前記下あご部２と上あご部３とでナットやボルトなどの断面多角形状の締付部４を挟持して回動し得るように構成し、前記回動部８を閉塞回動方向へ付勢する付勢体９を回動部８に設けて前記握持部１の所定方向への往復動作により前記下あご部２と上あご部３とで前記締付部４を挟持したままラチェット駆動を行えるように構成したレンチであって、前記下あご部２及び上あご部３夫々の前記締付部４を挟持する挟持面２ａ，３ａに山部５と谷部６が交互に連続する山谷部７を形成し、この下あご部２の挟持面２ａに形成した山谷部７を前記締付部４の一角部４ａに係止させるとともに、上あご部３の挟持面３ａに形成した山谷部７を前記下あご部２の山谷部７で係止した一角部４ａと対向位置にある角部４ａに係止させることで、この下あご部２及び上あご部３で締付部４を挟持し得るように構成し、前記下あご部２及び上あご部３の挟持面２ａ，３ａ夫々に形成した前記山谷部７の山部５を結ぶ稜線Ｌ１，Ｌ２が内方に湾曲状となるように形成したことを特徴とするレンチに係るものである。
【００１０】
また、前記下あご部２の近傍位置に、屈曲先端部に上あご部３を設けた回動部８の基端部を枢着し、この枢着部11に回動部８を閉塞回動方向へ付勢する付勢体９を設けたことを特徴とする請求項１記載のレンチに係るものである。
【００１１】
また、前記下あご部２の近傍位置に突設した略半円断面形状の半円軸12に被嵌し得る係止孔13を前記回動部８の基端部に設け、この係止孔13内を前記半円軸12が移動係止自在となるように設けて下あご部２と上あご部３との対向間隔を調整し得る巾調整機構14を前記枢着部11に設けたことを特徴とする請求項２記載のレンチに係るものである。
【００１２】
また、前記回動部８の基端部に設けた係止孔13は、前記半円軸12を回動自在に貫挿し得る複数の回動孔13ａと、この回動孔13ａ同志を連通状態とする連通孔13ｂとから成り、この連通孔13ｂに前記半円軸12を通過させて回動孔13ａ間を移動せしめることで前記下あご部２と上あご部３との対向間隔を調整し得るように構成し、この連通孔13ｂへの半円軸12の通過は、下あご部２と上あご部３とで締付部４を挟持できない状態となるまで回動部８を開放回動させたときのみ通過し得るように前記巾調整機構14を構成したことを特徴とする請求項３記載のレンチに係るものである。
【００１３】
また、前記回動部８にこの回動部８を前記付勢体９に抗して開放回動させる指掛け部10を設け、この指掛け部10を前記握持部１を握持した手の指で操作できる位置に設け、この指掛け部10に当てがった指を握持部１側へ押動操作することにより前記回動部８が外側方向に開放回動し、前記下あご部２と上あご部３とで挟持していた前記締付部４からこの上あご部３が外側方向へ退避移動して、前記挟持状態が解除されるように構成したことを特徴とする請求項１〜４のいずれか１項に記載のレンチに係るものである。
【００１４】
【発明の実施の形態】
好適と考える本発明の実施の形態（発明をどのように実施するか）を、図面に基づいてその作用効果を示して簡単に説明する。
【００１５】
本発明において、例えば前記締付部４としてナット４を締付回動する場合には、先ず回動部８を付勢体９に抗して開放回動してナット４を下あご部２と上あご部３との間に配し、前記付勢体９の付勢力により回動部８を閉塞回動して、下あご部２及び上あご部３夫々の山谷部７をナット４の対向する角部４ａに係止させて挟持する。
【００１６】
この状態で握持部１を所定方向に押動すると、この押動力が回動駆動力としてナット４に付与され、下あご部２と上あご部３とで挟持されたナット４は締め付け回動される。
【００１７】
一方この握持部１を逆方向に移動して戻そうとするときには、回動部８に外側方向へ力が働き、そのため回動部８は付勢体９に抗して外側方向へ開放回動する。
【００１８】
この回動部８の退避移動により下あご部２と上あご部３とはナット４を挟持したままでありながら、この握持部１の戻り移動による回動駆動力はナット４には付与されない。
【００１９】
即ち、六角ナット４の場合前記締め付け回動した後の握持部１の戻り移動に際してはこのナット４に回動駆動力は付与されず、例えば下あご部２及び上あご部３夫々の山谷部７に係る山部５及び谷部７が一つずつナット４の角部４ａを乗り越えながら外面に圧接した挟持状態のままでこの挟持位置を変えて移動するように構成されている。
【００２０】
従って、握持部１を戻した分だけ山谷部７に係る山部５及び谷部７が一つずつナット４の対向する角部４ａをカチッカチッと乗り越えることになり、その後、所望のところで戻し回動を止め、その時点から再び握持部１を締め付け回動させれば下あご部２と上あご部３とでナット４を堅固に挟持して締め付け回動が行えることになる。
【００２１】
よって、本発明は、握持部１を、下あご部２及び上あご部３に形成した山谷部７の交互に連続する山部５と谷部６とのピッチ分だけ小刻みに往復移動を繰り返すことで、下あご部２及び上あご部３の挟持面２ａ，３ａで締付部４を挟持して締め付け回動或いは緩め回動が行えることになるから、仮に作業スペースが狭かったとしても簡易に且つ確実に締付部を回動させることができることになる。
【００２２】
【実施例】
図面は本発明の一実施例を図示したものであり、以下に説明する。
【００２３】
符号４は断面六角形状の締付部としてのナットであり、締付部としてはナットに限らずボルトの頭部などがあり、その断面形状も六角形状に限られないのは勿論である。
【００２４】
棒杆状の握持部１の湾曲先端部の先端縁にナット４の一角部４ａに当接する下あご部２を形成している。
【００２５】
この下あご部２は、その内面にしてナット４の挟持面２ａに山部５と谷部６が交互に連続する山谷部７が形成されている。
【００２６】
この山谷部７は、ナット４の角部４ａに引っ掛け係止するものであり、その山部５同志を結ぶ稜線Ｌ１は内方に湾曲状となるように形成されている。
【００２７】
また、握持部１は、その先端部にして下あご部２の近傍位置に板状にしてフック型に先端部が屈曲した回動部８を枢着している。
【００２８】
この枢着部11には回動部８が開放回動することに抗し、反対の閉塞回動することに付勢するコイルバネなどの付勢体９が設けられ、回動部８は内側方向（閉塞方向）へ常に付勢されるように構成されている。
【００２９】
また、この回動部８はナット４を挟持しないときには、下あご部２の肉厚段部２ｂに付勢体９の付勢力により突き当たり係止するように構成している。尚、付勢体９は、ナット４を締め付け回動した後の握持部１の戻り移動に際してはこのナット４に回動駆動力が付与されない程度の付勢力に設定されている。
【００３０】
また、この回動部８の屈曲先端部には、上あご部３が形成されている。
【００３１】
この上あご部３は下あご部２と対向する位置に挟持面３ａが設けられ、この挟持面３ａは、前記下あご部２の挟持面２ａが当接するナット４の角部４ａと対向位置にある角部４ａに当接せしめられ、この上あご部３の挟持面３ａと下あご部２の挟持面２ａとでナット４を挟持する構成としている。
【００３２】
また、この上あご部３は、前述した下あご部２と同様、その内面にしてナット４の挟持面３ａに山部５と谷部６が交互に連続する山谷部７が形成されており、この山谷部７は、ナット４の角部４ａに引っ掛け係止するように構成され、その山部５同志を結ぶ稜線Ｌ２は内方に湾曲状となるように形成されている。
【００３３】
従って、締付部４の対向する角部４ａを下あご部２及び上あご部３の挟持面２ａ，３ａ夫々に形成した山谷部７でくわえ込むように挟持することができ、よって、極めて引っ掛かりが良く強い回動が得られることになる。
【００３４】
また、回動部８には指掛け部10が設けられている。
【００３５】
この指掛け部10は、図１，２に図示したように回動部８の上あご部３の近傍位置にして握持部１を握持した手の指で操作できる位置に凹部10ａを形成して構成されており、この指掛け部10に当てがった指を前記付勢体９に抗して握持部１側へ押動操作することにより回動部８が外側方向に開放回動することになる。
【００３６】
従って、この指掛け部10を操作することで、下あご部２と上あご部３とで挟持していたナット４からこの上あご部３を外側方向へ退避移動させて、挟持状態を解除することができ、反対に、ナット４を挟持させることもできることになる。
【００３７】
また、本実施例では、下あご部２と上あご部３との対向間隔を調整し得る巾調整機構14を枢着部11に設けている。
【００３８】
具体的には、本実施例は、図２，３に図示したように下あご部２の近傍位置に断面半円形状のボルト体から成る半円軸12を突設し、この半円軸12に被嵌し得る係止孔13を回動部８の基端部に設け、この半円軸12に係止孔13に被嵌連結させることで下あご部２の近傍に回動部８を回動自在となるように枢着している。
【００３９】
また、回動部８の基端部に設けた係止孔13は、半円軸12を回動自在に貫挿し得る一対の回動孔13ａと、この回動孔13ａ同志を連通状態とし、該回動孔13ａよりも巾の狭い連通孔13ｂとから成る略ダルマ形状に形成されており、この連通孔13ｂは断面円形状の半円軸12の径が最小となる横方向からのみ半円軸12を通すことができるように構成され、本実施例は、この半円軸12と係止孔13との配置関係を、下あご部２と上あご部３とで締付部４を挟持できない状態となるまで回動部８を最大限開放回動させたときのみ連通孔13ｂに半円軸12を通過し得るように設定されている。
【００４０】
従って、この連通孔13ｂに前記半円軸12を通過させて一対の回動孔13ａ間を移動せしめることで前記下あご部２と上あご部３との対向間隔を２段階で調整し得ることになり、しかも、この巾調整が、下あご部２と上あご部３とで締付部４を挟持できない状態となるまで回動部８を開放回動させたときのみ行えるものであるから、握持部１の締め付け回動している時や緩め回動している時などの作業中に、不意に下あご部２と上あご部３との対向間隔が開いて締付部４から外れたりするようなことは一切ない。これが請求項で言う巾調整機構14であり、回動孔13ａを３つ設けて３段階調整タイプにしたり適宜設計し得るものである。
【００４１】
以上の構成からなる本実施例に係るレンチは、例えばナット４を締付回動する場合には、先ず回動部８を付勢体９に抗して外側方向に開放回動してナット４を下あご部２と上あご部３との間に配し、前記付勢体９の付勢力により回動部８を内側方向に閉塞回動して、ナット４の対向する角部４ａを下あご部２及び上あご部３夫々の山谷部７で係止して挟持する。
【００４２】
この状態で握持部１を所定方向に押動すると、この押動力が回動駆動力としてナット４に付与され、下あご部２と上あご部３とで挟持されたナット４は締め付け回動される（図４参照）。
【００４３】
一方、この握持部１を逆方向に移動して戻すときには、回動部８に外側方向へ力が働き、そのため回動部８は付勢体９に抗して外側方向へ開放回動する。
【００４４】
この回動部８の退避移動により下あご部２と上あご部３とはナット４を挟持したままでありながら、この握持部１の戻り移動による回動駆動力はナット４には付与されない。
【００４５】
即ち、六角ナット４を締め付け回動した後の握持部１の戻り移動に際してはこのナット４に回動駆動力は付与されず、下あご部２と上あご部３とがナット４の外面の角部４ａを乗り越えながら外面に圧接した挟持状態のままでこの挟持位置を変えて移動するように構成されている（図５参照）。
【００４６】
つまり、本実施例は、ラチェット駆動において、握持部１を戻す場合に、回動部８が必要以上開放回動せず、例えば下あご部２及び上あご部３夫々の山谷部７に係る山部５及び谷部７が一つずつナット４の角部４ａを乗り越えながら外面に圧接した挟持状態のままでこの挟持位置を変え、常に付勢力によりナット４を確実に挟持した状態に保持されることとなる。
【００４７】
従って、握持部１を戻した分だけ山谷部７に係る山部５及び谷部７が一つずつナット４の対向する角部４ａをカチッカチッと乗り越えることになり、その後、所望のところで戻し回動を止め、その時点から再び握持部１を締め付け回動させれば下あご部２と上あご部３とでナット４を堅固に挟持して締め付け回動が行えることになる（図６，７参照）。
【００４８】
よって、本実施例によれば、握持部１を、下あご部２及び上あご部３に形成した山谷部７の交互に連続する山部５と谷部６とのピッチ分だけ最低一つの山部５分だけ小刻みに往復移動を繰り返すことで、下あご部２及び上あご部３の挟持面２ａ，３ａで締付部４を挟持して締め付け回動或いは緩め回動が行えることになるから、仮に作業スペースが狭かったとしても簡易に且つ確実に締付部を回動させることができ、しかも、何ら複雑な構造ではなく簡易構造故にコスト安にして量産性に秀れることになる。
【００４９】
また、本実施例は、付勢体９を設けたことにより回動部８の自重により大きく外側に開いたり、また水平回動においてもナット４から回動部８の上あご部３が離れてしまうことがないため、作業者は従来のようなラチェット駆動操作のコツを習得しなくても、このコツに慣れた作業者でなくても、単に握持部１を往復動作するだけでラチェット駆動が行え、非常にスムーズにしてスピーディーにこのラチェット駆動により回動作業が行えることとなる。
【００５０】
【発明の効果】
本発明は上述のように構成したから、握持部を小刻みに往復移動を繰り返すことで、下あご部及び上あご部の挟持面で締付部を挟持して締め付け回動或いは緩め回動が行えることになるから、仮に作業スペースが狭かったとしても握持部を回動できる僅かなスペースがあれば簡易に且つ確実に締付部を回動させることができることになるなど非常に便利で極めて商品価値の高い画期的なレンチとなる。
【００５１】
また、本発明は、下あご部及び上あご部の挟持面夫々に形成した前記山谷部の山部を結ぶ稜線が内方に湾曲状となるように形成したから、締付部の対向する角部を下あご部及び上あご部の挟持面夫々に形成した山谷部でくわえ込むように挟持することができ、よって、極めて引っ掛かりが良く強い回動が得られることになるなど非常に便利で極めて商品価値の高い画期的なレンチとなる。
【００５２】
また、請求項２記載の発明においては、前述した或いは後述する作用効果を発揮し得るものでありながら何ら複雑な構造ではなく簡易構造故にコスト安にして量産性に秀れることになるなど非常に便利で極めて商品価値の高い画期的なレンチとなる。
【００５３】
また、請求項３記載の発明においては、巾調整機構により下あご部と上あご部との対向間隔を調整して種々の径を備えた締付部を挟持して回動せしめることができて非常に便利となり、しかも、この巾調整機構を下あご部と上あご部との枢着部に設けるという簡易構造故により一層コスト安にして量産性に秀れることになるなど非常に便利で極めて商品価値の高い画期的なレンチとなる。
【００５４】
また、請求項４記載の発明においては、下あご部と上あご部との対向間隔を調整し得る巾調整機構が簡易構造故により一層コスト安にして量産性に秀れることになるのは勿論、この巾調整が、下あご部と上あご部とで締付部を挟持できない状態となるまで回動部を開放回動させたときのみ行えるものであるから、握持部の締め付け回動している時や緩め回動している時などの作業中に、不意に下あご部と上あご部との対向間隔が開いて締付部から外れたりするようなことは一切なく、しかも、この巾調整機構の巾調整が極めて簡易に行える故に作業者が望む間隔を迅速に調整することができ、ひいては締め付け作業或いは緩め作業の作業能率を飛躍的に向上し得ることになるなど非常に便利で極めて商品価値の高い画期的なレンチとなる。
【００５５】
また、請求項５記載の発明においては、下あご部と上あご部とは、その構造上、作業中において常に締付部から抜けないように締付部を挟持するように回動部が付勢体に付勢されるように構成されているが、本発明は、回動部にこの回動部を前記付勢体に抗して開放回動させる指掛け部を設けたから、締付部からの取り外し作業（ひいては取り付け作業）が極めて簡易に行えることになり、作業能率を向上し得ることになるなど非常に便利で極めて商品価値の高い画期的なレンチとなる。
【図面の簡単な説明】
【図１】本実施例を示す正面図及び側面図である。
【図２】本実施例に係る要部の概略動作説明図である。
【図３】本実施例に係る要部を説明する分解斜視図である。
【図４】本実施例の使用状態を示す説明図である。
【図５】本実施例の使用状態を示す説明図である。
【図６】本実施例の使用状態を示す説明図である。
【図７】本実施例の使用状態を示す説明図である。
【符号の説明】
１  握持部
２  下あご部
２ａ  挟持面
３  上あご部
３ａ  挟持面
４  締付部
４ａ  角部
５  山部
６  谷部
７  山谷部
８  回動部
９  付勢体
10  指掛け部
11  枢着部
12  半円軸
13  係止孔
13ａ  回動孔
13ｂ  連通孔
14  巾調整機構
【図１】
0003592968.tif 000002
【図２】
0003592968.tif 000003
【図３】
0003592968.tif 000004
【図４】
0003592968.tif 000005
【図５】
0003592968.tif 000006
【図６】
0003592968.tif 000007
【図７】
0003592968.tif 000008